(57)【要約】【課題】医療施設での手指衛生遵守を評価するシステムおよび方法を提供する。【解決手段】医療施設での手指汚染除去遵守を評価するシステムおよび方法は、複数の患者ステーションと、複数の手指衛生ステーション３０と、医療施設内の人員のための人員用タグ１８と、人員用タグの存在を検出することができる、患者ステーションおよび手指衛生ステーションに設けられた読み取り機と、人員用タグが患者ステーションに存在する前に手指汚染除去ステーションにアクセスしたか否かを検出するためのコントローラー４０と、を含む。別の実施の形態では、健康管理従事者および患者の人員用タグは、施設内の空間で追跡されて、健康管理従事者と患者との間の接触、および、健康管理従事者が患者との接触の前に手指衛生にアクセスしたが否か、を示す。手指衛生ステーションは、手指洗浄ステーションと、抗菌手指薬供給器と、を含む。【選択図】図１
2008027436.tif 000002
【特許請求の範囲】
【請求項１】
医療施設での手指衛生遵守を評価するシステムにおいて、
前記医療施設内の患者のための、および健康管理従事者のための人員用タグと、
前記人員用タグの位置を求めるためのセンサーと、
コントローラーであって、前記人員用タグのうちの一つのタグをつけた健康管理従事者が前記人員用タグのうちの別の一つのタグをつけた患者に接触する前に手指衛生ステーションにアクセスしたか否かを検出するようにプログラムされた、コントローラーと、
を具備する、システム。
【請求項２】
請求項１に記載のシステムにおいて、
前記医療施設内の一つ以上の前記手指衛生ステーションに設けられた衛生タグ、
をさらに具備する、システム。
【請求項３】
請求項１に記載のシステムにおいて、
前記人員用タグの各々は、独自の識別子を保持している、システム。
【請求項４】
請求項１に記載のシステムにおいて、
前記一つ以上の手指衛生ステーションは、手指洗浄ステーションを含む、システム。
【請求項５】
請求項１に記載のシステムにおいて、
前記一つ以上の手指衛生ステーションは、抗菌手指薬供給器を含む、システム。
【請求項６】
請求項１に記載のシステムにおいて、
前記手指衛生ステーションの作動を感知するための、前記手指衛生ステーションに設けられた作動センサーであって、前記作動センサーはコントローラーに連結されている、作動センサー、
をさらに具備する、システム。
【請求項７】
請求項１に記載のシステムにおいて、
前記健康管理従事者によって装着されている前記人員用タグは、前記健康管理従事者の手指衛生状態を表示するために状態表示器を含む、システム。
【請求項８】
請求項７に記載のシステムにおいて、
前記状態表示器は、前記手指衛生状態の視覚的な表示を提供する、システム。
【請求項９】
請求項７に記載のシステムにおいて、
前記状態表示器は、前記状態の変化の可聴表示を提供する、システム。
【請求項１０】
請求項７に記載のシステムにおいて、
前記状態表示器は、前記人員用タグが患者の人員用タグの定められた近さの中にあり、かつ前記手指衛生状態が「清潔」以外である場合に、可聴警告を提供する、システム。
【請求項１１】
医療施設での手指衛生遵守を評価する方法において、
前記医療施設内の健康管理従事者および患者に人員用タグを付ける工程と、
前記人員用タグの各々の前記医療施設内での物理的な位置を感知する工程と、
前記人員用タグのうちの一つのタグをつけた前記健康管理従事者が、前記人員用タグのうちの別の一つのタグをつけた患者に接触する前に手指衛生ステーションにアクセスしたか否かを判定する工程と、
を具備する、方法。
【請求項１２】
請求項１１に記載の方法において、
前記手指衛生ステーションに衛生タグを設ける工程と、
前記衛生タグの位置を感知することによって、前記医療施設内での前記手指衛生ステーションの前記物理的な位置を求める工程と、
をさらに具備する、方法。
【請求項１３】
請求項１１に記載の方法において、
前記人員用タグの各々は、独自の識別子を保持している、方法。
【請求項１４】
請求項１１に記載の方法において、
一つ以上の前記手指衛生ステーションは、手指洗浄ステーションを含む、方法。
【請求項１５】
請求項１１に記載の方法において、
一つ以上の前記手指衛生ステーションは、抗菌手指薬供給器を含む、方法。
【請求項１６】
請求項１１に記載の方法において、
前記手指衛生ステーションが前記健康管理従業者によってアクセスされたときに、前記手指衛生ステーションが作動させられたか否かを感知する工程、
をさらに具備する、方法。
【請求項１７】
請求項１１に記載の方法において、
前記健康管理従事者の衛生状態を前記人員用タグ上に表示する工程、
をさらに具備する、方法。
【請求項１８】
請求項１７に記載の方法において、
前記状態の変化の可聴表示を提供する工程、
をさらに具備する、方法。
【請求項１９】
請求項１７に記載の方法において、
前記人員用タグが患者の人員用タグの定められた近さの中にあり、かつ前記衛生状態が「清潔」以外である場合に、可聴警告を提供する工程、
をさらに具備する、方法。
【発明の詳細な説明】
【開示の内容】
【０００１】
〔発明の背景〕
本発明は、手指洗浄および汚染除去（hand washing and decontamination）の監視に関し、より詳しくは、健康管理環境での手指洗浄および汚染除去の監視に関する。
【０００２】
病院内の患者が感染することは、健康管理上の重大な問題である。疾病管理センター、世界保健機関、ならびに、その他の健康管理機構および機関は、手指を介した病原体の伝染を減らすために、健康管理従事者が適正な手指衛生を実行することを促進している。推奨される処置には、患者に直接接触する前の、侵襲的非外科的手技の前の、手袋を嵌める前の、ならびに、体液、粘膜、無傷ではない皮膚および巻かれた包帯、無傷の皮膚、および、患者の近くの無生物体、に接触した後の、手指の汚染除去が、含まれている。これらの処置は、病院の環境で、医者の診療所で、および、これらの場所の人員が患者に接触することになる任意の場所で、適用される。さらに、そのような患者を訪ねる人も適正な手指洗浄処置を実行することが広く推奨されている。いくつかの場合には、抗菌薬剤を手指に塗布することが、手指洗浄の代わりに行われる。いずれの場合でも、目的は、健康管理提供者の手指への微生物の負荷（microbe load）を低減し、患者および健康管理提供者のいずれもの汚染を防止することである。
【０００３】
〔発明の概要〕
本発明に基づくシステムは、医療施設での手指衛生遵守の評価を提供する。そのシステムは、複数の患者ステーションと、複数の手指衛生ステーションと、医療施設の人員のための人員用タグと、人員用タグの存在を検出できる患者ステーションおよび手指汚染除去ステーションに設けられた読み取り器と、人員用タグが患者ステーションのうちの一つに存在する前に手指衛生ステーションにアクセスしたか否かを検出するための制御手段と、を含む。
【０００４】
患者ステーションは、典型的には、病床を含むであろうが、処置台（procedure tables）、診察台、歯科用診療いす、および、患者と健康管理従事者との相互作用が起こる任意の他の場所、をも含んでいてよい。
【０００５】
好ましくは、患者ステーションの各々は、独自の患者ステーション識別子を有していて、人員用タグの各々は、独自の人員識別子を有していて、特定の患者および健康管理従事者の相互作用を追跡できるようにしている。個々の手指衛生ステーションも、独自の識別子をつけていてよい。手指衛生ステーションが患者ステーションの存在する位置からあまりにも離れて配置されていると、その患者ステーションでのその後の患者の相互作用のために十分であるとみなされないことがある。
【０００６】
手指衛生ステーションは、石鹸供給器を備えた流し台のような、手指洗浄ステーションを含んでいてよく、さらに、抗菌手指薬（anti-microbial hand rub）供給器をも含んでいてよい。好ましくは、手指衛生ステーションは、手指衛生ステーションの存在だけでなくその実際の使用をも感知するための作動センサーをも含んでいて、この作動センサーは、制御手段に連結されている。
【０００７】
人員用タグは、ＲＦＩＤタグのような機械可読センサーを含んでいる。人員用タグをつけた利用者の手指衛生状態は、好ましくは、人員用タグ自体に記憶されるが、複数の患者ステーションおよび一つ以上の手指衛生ステーションに連結された中央プロセッサにも記憶されてよい。中央プロセッサは、遵守率の報告を作成する。そのような報告は、その施設について平均されてよく、または、個々の健康管理従事者に固有であってよい。報告は、患者との相互作用の回数、適正な手指衛生が実行された場合の患者との相互作用の回数、適正な手指衛生が実行されずに患者との相互作用の後に適正な手指衛生が実行された場合の患者との相互作用の回数、を含んでいてよい。
【０００８】
好ましくは、患者ステーションは、ある種の形態の警報を組み込んでいて、その警報は、「清潔」以外の状態を有する人員用タグが患者ステーションに近づいたときに、警告を提供することができる。警告は、可聴かつ視覚的の両方であってよい。好ましくは、患者ステーション周囲の境界線（perimeter）を画定する手段が設けられていて、その境界線の内側では、人員用タグは、患者ステーションに存在するとみなされる。
【０００９】
好ましくは、人員用タグは、そのタグをつけた人の手指衛生状態を表示するために状態表示器を含んでいる。そのような状態表示器は、手指衛生状態の視覚的な表示を提供してよく、状態の変化の可聴表示、または、患者への不適正な接触の可聴警告、をも提供してよい。
【００１０】
本発明に基づく方法は、医療施設での手指衛生遵守の評価を提供する。その方法は、そのような施設内の人員に人員用タグを付ける工程と、施設内の手指衛生ステーションでの人員用タグの存在を検出する工程と、患者ステーションでの人員用タグの存在を検出する工程と、人員用タグが付けられた人が患者ステーションを訪ねる前に手指衛生ステーションを訪れたか否かを判定する工程と、を含む。
【００１１】
本発明の方法は、好ましくは、「清潔」または「汚染されている可能性がある（potentially contaminated）」などの、利用者の手指衛生状態を記憶する。この状態は、患者に接触した後に、「清潔」から変化する。この状態は、患者に接触したかどうかにかかわらず、予め決められた時間が経過した後にも、「清潔」から変化する。
【００１２】
本発明に基づく別のシステムは、医療施設での手指衛生遵守の評価を提供する。本発明のシステムは、その施設内の患者のための、および健康管理従事者のための人員用タグと、人員用タグの位置を求めるためのセンサーと、人員用タグのうちの一つのタグをつけた健康管理従事者が、人員用タグのうち別のタグをつけた患者と接触する前に手指衛生ステーションにアクセスしたか否かを検出するようにプログラムされたコントローラーと、を含んでいる。衛生タグは、その施設内の手指衛生ステーションに設けられていてよい。その代わりに、衛生タグの位置は、プログラムされていてもよい。タグは、移動式である場合があるステーションに有益である。
【００１３】
〔好ましい実施の形態の詳細な説明〕
図１は、健康管理施設用の手指衛生遵守システム１０を示している。医者１２、看護師１４、または、来訪者１６のような健康管理施設内の人々には、各々、人員用タグ１８が提供されていて、人員用タグ１８は、好ましくは、独自の識別番号を組み込んでいるが、プライバシーの理由から独自の識別番号を組み込んでいなくてもよい。人員用タグ１８は、好ましくは、ある種の形態の近さ探知器（proximity locator）またはローカル通信手段を組み込んでいる。例えば、本発明のある好ましい実施の形態では、人員用タグ１８は、無線周波数識別（ＲＦＩＤ）タグ２０を組み込んでいる。
【００１４】
病院の病床２２のような患者との接触位置には、患者位置モジュール２３が提供されていて、患者位置モジュール２３は、看護師１４のような人の接近、すなわち、人員用タグ１８の接近、を検出するためにセンサー２４を含んでいる。複数のセンサー２４および異なる種類のセンサーが用いられてよい。例えば、人の接近を検出する受動赤外線（ＩＲ）センサー２６が、人員用タグ１８内のＲＦＩＤタグ２０を読み取るために、ＲＦＩＤトランシーバー２８と共に用いられてよい。これによって、ＲＦＩＤトランシーバーが、病床２２に人が接近するまでオフ状態のままであることが可能になり、エネルギーを節約し、環境内の電磁ノイズを減らす。
【００１５】
いくつかの形態の境界線が、好ましくは、患者ステーションの周りに定められている。ある簡単な形態では、境界線は、患者ステーションのＲＦＩＤトランシーバー２８の位置であり、ＲＦＩＤトランシーバーは、望まれる境界線と等しい範囲を有した状態である。境界線は、好ましくは、患者ステーションからほぼ３０．４８ｃｍ（１フィート）、またはほぼ６０．９６ｃｍ（２フィート）離れている。境界線が離れすぎていると、接触を誤って登録する可能性があり、境界線が短すぎると、接触を登録できない可能性がある。より正確に定められた境界線が望まれる場合には、患者ステーションに接近する人員によって遮られる光ビームのような、境界線を定める別の手段もまた、用いられてもよい。
【００１６】
他の機械可読タグ付けシステムが用いられてもよい。ＲＦＩＤタグ２０は、この適用に特に適しており、その理由は、ＲＦＩＤタグ２０が廉価であり、ある間隔で読み取ることができ、いくつかの種類のＲＦＩＤタグは、データをタグに書き込み、更新させることができるからである。
【００１７】
患者との接触位置は、病床に限定されず、処置台、診察台、歯科用いす、ガーニー、および、健康管理従事者が患者との接触に至る可能性のある任意の場所、も含まれるであろう。これらの場所は、ガーニーのように、移動可能であってよい。
【００１８】
手指衛生ステーション３０（抗菌手指薬供給器３２、もしくは、水道水および手指洗浄用の石鹸または洗剤の供給を備えた流し台のような手指洗浄ステーション３４）にはＲＦＩＤトランシーバー３６を有する手指衛生ステーションモジュール３１が設けられていてよい。ジャンパーニら（Jampani et al）による米国特許第５，９９７，８９３号は、参照することによって本明細書に組み込まれるが、特に適切な抗菌手指薬の処方を開示している。
【００１９】
好ましくは、ＲＦＩＤトランシーバー２８，３６はすべて、ある形態の通信を介して中央データ処理ステーション４０と結合されている。その通信は、配線による接続（hard-wired connection）の形態、または、無線周波数通信のようなある種の別の形態、をとってよい。８０２．１１ｂもしくは８０２．１１ｇ、または同様の種類のＷｉＦｉベースのネットワークシステムまたは通信システムを有する施設では、ＲＦＩＤトランシーバー２８，３６は、そのようなネットワークを介して中央処理ステーション４０と通信を行うことができる。専用の通信システムもまた用いられてもよい。受動ＩＲ（ＰＩＲ）人員検出器３８も、手指衛生ステーション３０で用いられてよい。
【００２０】
手指衛生ステーション３０、特に、手指薬供給器３２は、移動可能であってよい。これらは、ビィラベセス（Villaveces）に付与された米国特許第５，９２７，５４８号に開示されているように、車輪に取り付けられているか、人によって携行されていてよく、この米国特許は参照することによって本明細書に組み込まれる。
【００２１】
その基本動作では、手指衛生遵守システム１０は、ＲＦＩＤトランシーバー２８，３６を人員用タグ１８と共に用いて、患者が感染する可能性を減らすために、患者の位置に近づく人が、その人の手指を洗浄するかまたは抗菌手指薬を塗布するのを確実にするのを援助する。このような援助は、さまざまな異なる様式で実施されてよい。ある簡単な実施は、手指衛生システム３０に人が存在することを検出し、次に、ＲＦＩＤタグ２０もしくは中央プロセッサ４０に、または、ＲＦＩＤタグ２０および中央プロセッサ４０の両方に、その人の状態がそのとき「清潔」であることを知らせる。次に、その人が病院の病床２２に近づいた場合、その病床に関連したＲＦＩＤトランシーバー２８が人員タグ１８内のＲＦＩＤタグ２０を読み取る。状態がＲＦＩＤタグ２０内に直接符号化されている場合、その状態はＲＦＩＤトランシーバー２８によって直接読み取られ、そうでなければ、そのＲＦＩＤタグ２０に関連する独自のＩＤ（ＵＩＤ）が中央プロセッサ４０に問い合わせられて、中央プロセッサ４０は状態が「清潔」であると答える。
【００２２】
好ましくは、患者位置モジュール２３は、音響出力装置４４を備えたある種の様式のディスプレイ４２を組み込んでいる。そのディスプレイ４２は、好ましくはラベルが付けられた一つ以上の色分けされた発光体のような簡単なものであってよく、または、ＬＣＤパネルのようなより複雑なものであってもよい。したがって、人が患者の病床２２に近づくと、ディスプレイ４２は、例えば緑の発光体によって、または、状態「清潔」の表示によって、その人が病院の病床２２を訪ねる前に手指衛生を実行したことを示す。
【００２３】
状態が「清潔」ではなく、逆に「汚染されている可能性がある」場合には、患者位置モジュール２３は、警告を示すであろう。好ましくは、警告は、警告光またはディスプレイ４２上の警告メッセージ、および、ブザーのような音響警報、あるいはより好ましくは手指衛生を実行するようにとの音声指令、を含む。
【００２４】
患者の病床２２を去った後に、ＲＦＩＤタグ２０は、今度は、「汚染されている可能性がある」という状態を有する。この「汚染されている可能性がある」という状態は、手指衛生ステーション３０に予め接触していない場合にも、適用される。状態は、手指衛生ステーション３０を訪れたときに、変更され「清潔」に戻る。「清潔」という状態は、患者の位置とさらに接触しなければ、特定の期間に亘って、有効であろう。本発明のより入念に作られた実施例では、ＲＦＩＤトランシーバー２８のようなセンサーが、施設内の別の位置であって、汚染の供給源となる可能性があり、また、その位置との接触が状態を「清潔」から「汚染されている可能性がある」に変更するであろう、施設内の別の位置に配置されていてよい。
【００２５】
人員用タグ１８が「汚染されている可能性がある」として登録された状態を有することなく患者の病床２２から離れ同じ病床２２に戻ることができるようにするための方法が含まれる可能性がある。このような方法は、例えば、看護師１４が状態の変化なしにまたは少なくともその特定の患者の病床２２に関する状態で、患者の部屋の中を移動できるようにすることが可能であろう。好ましくは、時間制限が実施されて、たとえ看護師１４がその時間制限の経過後に病床２２に再び近づいたとしても、状態は「汚染されている可能性がある」として登録するようになっている。
【００２６】
その他の実施例およびデータ記憶も本発明に含まれていてよい。例えば、さまざまな人員の遵守率が追跡されてよい。追跡は、ＲＦＩＤタグ２０自体で実行されてよく、または、中央プロセッサ４０で実施されてよい。報告は、人員がその人の遵守を改善するのを援助するために、作成されて、用いられてよい。そのような報告は、このような人員が所定の時間の間に「清潔」以外の状態で患者の位置に近づいた回数を含んでいることがある。報告は、その施設内での感染の伝染を追跡するために、どの患者が接近されたかを追跡して、患者記録と比較されてもよい。罰則または賞与が、遵守に基づいて、人員に与えられてもよい。
【００２７】
医者１２または看護師１４が「清潔」以外の状態で患者の病床２２に近づくと、システム１０は、好ましくは、その人が次に手指衛生ステーション３０に移るか、または患者との接触を続けるかを確認する。この領域内での異議（exception）が、システム１０によって、より高い優先順位で、フラグで合図されてよく、その異議は、病床２２に存在した時間、手指衛生ステーション３０に次に現れた時間、そして、おそらく、そのような人員が次に同じ病床２２に戻るか否か、を比較することによって、鑑定される。例えば、「清潔」以外の状態で、病床２２で５秒または１０秒以上を過ごすことが、はなはだしい違反に等しい場合がある。
【００２８】
手指衛生ステーション３０での遵守は、存在によって推測されてよく、所定の長さの時間に亘る存在によって推測されてよく、または、手指洗浄ステーション３４でいつ石鹸が供給されたかを読み取るセンサー３０、もしくは手指薬供給器３２でいつ抗菌手指ゲルが供給されたかを読み取るセンサー３０のような手指衛生ステーション３０のセンサー４６によって検証されてよい。そのようなセンサー４６は、手指衛生ステーション３０が、利用者の体に装着された携帯式抗菌手指薬供給器３２を含む場合に、重要となるであろう。
【００２９】
手指衛生手順は、典型的には、手指洗浄ステーション３４での、ある長さのこすり洗いを必要とし、石鹸が供給された後の水の流れる時間も測定される場合がある。近さセンサー、特に水を出して流すために既に用いられている近さセンサーは、手指が水の流れの中にあることを確かめるためにポーリングされる（polled）場合もある。多くの蛇口はそのようなセンサーを既に組み込んでいる。
【００３０】
人員用タグ１８は、音響的なディスプレイおよび視覚的なディスプレイをさらに組み込んでいてよい。例えば、人員用タグ１８には、色を変える発光体、または各状態に対する別々の発光体５０，５２と、状態が変化したときに音を出すビーパー５４（図２を参照のこと）と、をつけることができる。そのような場合には、人員用タグ１８は、好ましくは、電力が供給されたＲＦＩＤタグ５６を組み込んでいて、ＲＦＩＤタグ５６は、受動ＲＦＩＤタグを上回る、改善された通信範囲を有し、共通の電源が、そのような人員用タグ１８のすべての特徴部に電力を供給してよい。
【００３１】
また図３を参照すると、手指衛生遵守システム５８の別の実施の形態が、施設のいたるところに配置された複数の検出器６０を用いていて、複数の検出器６０は、人員用タグ６２を読み取り人員用タグ６２の位置をつきとめる。そのようなシステム５８では、施設内での人の正確な位置が追跡されるであろう。患者も、人員用タグ６２を有していてよい。そのようなシステムによって、人員用タグ６２の間の近さが追跡されることができる。
【００３２】
医者１２、看護師１４、または、来訪者１６、に割り当てられた人員用タグ６２が、「清潔」以外の状態で、患者に割り当てられた人員用タグ６２に近づいた場合、違反が登録されてよい。好ましくは、そのようなタグ６２は、図２に示されたタグ１８の音響的なディスプレイおよび視覚的なディスプレイのようなそのタグ独自の警告システムを組み込んでいてよい。したがって、病床２２のような昔からの患者の位置（traditional patient locations）から離れた接触が追跡されてよい。トランシーバーではなく、手指衛生ステーション３０が、それ自体のタグ６４を有していてよく、または、手指衛生ステーションの位置が中央処理コントローラー６６内にプログラムされているだけでよい。手指衛生ステーション３０への近さが、状態を「清潔」へ変えてよい。上述された、より入念に作られた処置が、用いられてもよい。
【００３３】
いずれのシステムにおいても、手指衛生ステーション３０の備え（readiness）が追跡されてよい。手指衛生ステーションが手指洗浄ステーション３４である場合、供給器内のハンドソープのレベルが、レベルセンサー６８によって追跡されてよい。手指衛生ステーションが手指薬供給器３２である場合、手指薬の量がレベルセンサー６８を用いて同様に監視され、好ましくは、中央処理コントローラー４０または６６と通信することができる。レベルセンサー６８ではなく、供給器３２が作動ごとに正確な量を供給するのであれば、作動センサー４６によって監視される作動の回数が計数されてよい。空になったとき、供給器３２を再充填するようにというメッセージが、適正な人員に対して、生成されてよい。貯蔵寿命が、同様に監視されてよく、貯蔵寿命に対する温度の作用に対して調節するために温度センサー（図示されていない）を組み込むことさえできる。貯蔵寿命が満了したときには、警告が適正な人員に対して生成されてよい。
【００３４】
本発明が、好ましい実施の形態に関して記載された。明らかに、上記の詳細な記載を読み、理解すれば、これらの実施の形態に対する変形および変更を、他者は思いつくはずである。本発明は、そのような変形および変更が添付の特許請求の範囲またはその等価物に包含される限り、そのような変形および変更のすべてを含むものとして解釈されることが、意図されている。
【００３５】
〔実施の態様〕
この発明の具体的な実施態様は以下の通りである。
（１）医療施設での手指衛生遵守を評価するシステムにおいて、
前記医療施設内の患者のための、および健康管理従事者のための人員用タグと、
前記人員用タグの位置を求めるためのセンサーと、
コントローラーであって、前記人員用タグのうちの一つのタグをつけた健康管理従事者が前記人員用タグのうちの別の一つのタグをつけた患者に接触する前に手指衛生ステーションにアクセスしたか否かを検出するようにプログラムされた、コントローラーと、
を具備する、システム。
（２）実施態様（１）に記載のシステムにおいて、
前記医療施設内の一つ以上の前記手指衛生ステーションに設けられた衛生タグ、
をさらに具備する、システム。
（３）実施態様（１）に記載のシステムにおいて、
前記人員用タグの各々は、独自の識別子を保持している、システム。
（４）実施態様（１）に記載のシステムにおいて、
前記一つ以上の手指衛生ステーションは、手指洗浄ステーションを含む、システム。
（５）実施態様（１）に記載のシステムにおいて、
前記一つ以上の手指衛生ステーションは、抗菌手指薬供給器を含む、システム。
（６）実施態様（１）に記載のシステムにおいて、
前記手指衛生ステーションの作動を感知するための、前記手指衛生ステーションに設けられた作動センサーであって、前記作動センサーはコントローラーに連結されている、作動センサー、
をさらに具備する、システム。
（７）実施態様（１）に記載のシステムにおいて、
前記健康管理従事者によって装着されている前記人員用タグは、前記健康管理従事者の手指衛生状態を表示するために状態表示器を含む、システム。
（８）実施態様（７）に記載のシステムにおいて、
前記状態表示器は、前記手指衛生状態の視覚的な表示を提供する、システム。
（９）実施態様（７）に記載のシステムにおいて、
前記状態表示器は、前記状態の変化の可聴表示を提供する、システム。
（１０）実施態様（７）に記載のシステムにおいて、
前記状態表示器は、前記人員用タグが患者の人員用タグの定められた近さの中にあり、かつ前記手指衛生状態が「清潔」以外である場合に、可聴警告を提供する、システム。
【００３６】
（１１）医療施設での手指衛生遵守を評価する方法において、
前記医療施設内の健康管理従事者および患者に人員用タグを付ける工程と、
前記人員用タグの各々の前記医療施設内での物理的な位置を感知する工程と、
前記人員用タグのうちの一つのタグをつけた前記健康管理従事者が、前記人員用タグのうちの別の一つのタグをつけた患者に接触する前に手指衛生ステーションにアクセスしたか否かを判定する工程と、
を具備する、方法。
（１２）実施態様（１１）に記載の方法において、
前記手指衛生ステーションに衛生タグを設ける工程と、
前記衛生タグの位置を感知することによって、前記医療施設内での前記手指衛生ステーションの前記物理的な位置を求める工程と、
をさらに具備する、方法。
（１３）実施態様（１１）に記載の方法において、
前記人員用タグの各々が、独自の識別子を保持している、方法。
（１４）実施態様（１１）に記載の方法において、
一つ以上の前記手指衛生ステーションは、手指洗浄ステーションを含む、方法。
（１５）実施態様（１１）に記載の方法において、
一つ以上の前記手指衛生ステーションは、抗菌手指薬供給器を含む、方法。
（１６）実施態様（１１）に記載の方法において、
前記手指衛生ステーションが前記健康管理従業者によってアクセスされたときに、前記手指衛生ステーションが作動させられたか否かを感知する工程、
をさらに具備する、方法。
（１７）実施態様（１１）に記載の方法において、
前記健康管理従事者の衛生状態を前記人員用タグ上に表示する工程、
をさらに具備する、方法。
（１８）実施態様（１７）に記載の方法において、
前記状態の変化の可聴表示を提供する工程、
をさらに具備する、方法。
（１９）実施態様（１７）に記載の方法において、
前記人員用タグが患者の人員用タグの定められた近さの中にあり、かつ前記衛生状態が「清潔」以外である場合に、可聴警告を提供する工程、
をさらに具備する、方法。
【図面の簡単な説明】
【００３７】
【図１】本発明に基づく手指衛生遵守システムの略図である。
【図２】本発明に基づく人員用タグの平面図である。
【図３】本発明に基づく手指衛生遵守システムの別の実施の形態の略図である。
【図１】
2008027436.tif 000003
【図２】
2008027436.tif 000004
【図３】
2008027436.tif 000005
【外国語明細書】
2008027436000001.pdf